(57)【特許請求の範囲】
【請求項１】
本体ケーシング（１１）と、
前記本体ケーシングから外方に突出した状態で設けられており、冷媒配管（Ｌ１ａ，Ｌ１ｂ）が下向きに接続される閉鎖弁（３０ａ，３０ｂ）と、
前記閉鎖弁を前記本体ケーシングの外部から覆うようにして前記本体ケーシングに装着される閉鎖弁カバー（４０）と、
を備え、
前記閉鎖弁カバーが装着される前記本体ケーシングの装着部分（１１ｄ）のうち前記閉鎖弁カバーによって覆われる範囲（ｒ１）内には、前記閉鎖弁に付着している結露水を前記本体ケーシングの内部に導入するための結露水導入孔（２０ｃ）が形成されており、
前記閉鎖弁カバーの前記本体ケーシングへの装着時、前記閉鎖弁から下向きに延びる前記冷媒配管の一部分を前記装着部分（１１ｄ）と前記閉鎖弁カバーとが挟み込むことにより、結露水を前記結露水導入孔に案内する結露水案内部（５０）が形成される、
空気調和装置の室外機（１０）。
【請求項２】
前記本体ケーシングの前記装着部分における前記結露水導入孔付近において、前記装着部分から前記閉鎖弁カバー側に突出している突出部（６０）、
を更に備え、
前記突出部は、前記閉鎖弁カバーの前記本体ケーシングへの装着時、前記結露水案内部の下部に位置している、
請求項１に記載の空気調和装置の室外機（１０）。
【請求項３】
前記結露水案内部の少なくとも一部となる前記閉鎖弁カバーの部分（４１）には、前記閉鎖弁カバーの前記本体ケーシングへの装着時に前記冷媒配管を固定するための固定部を構成する切欠（４１ａ，４１ｂ）、が形成されている、
請求項１または２のいずれかに記載の空気調和装置の室外機（１０）。
【請求項４】
前記結露水案内部（５０）は、結露水を前記本体ケーシング内部に導くように略水平方向に対し所定角度傾斜している、
請求項１から３のいずれか１項に記載の空気調和装置の室外機（１０）。
【発明の詳細な説明】
【技術分野】
【０００１】
本発明は、空気調和装置の室外機に関する。
【背景技術】
【０００２】
空気調和装置の室外機は、屋外に設置され、ガス冷媒用の冷媒配管及び液冷媒用の冷媒配管によって室内機と接続されている。室外機には、圧縮機、室外ファン、室外熱交換器の他、ガス閉鎖弁及び液閉鎖弁等が設けられている。これらの閉鎖弁は、ガス冷媒用の冷媒配管及び液冷媒用の冷媒配管それぞれに接続されている。この構成により、低温液体の冷媒は液閉鎖弁を介して、また高温気体の冷媒はガス閉鎖弁を介して、室外機と室内機との間でやり取りされる。
【０００３】
また、上記閉鎖弁は、例えば特許文献１（特開平６−２０１１６０号公報）に開示されているように、各冷媒配管が室外機の背面方向に延びるようにして接続され、室外機の外壁に設けられている。
【発明の概要】
【発明が解決しようとする課題】
【０００４】
ところで、室外機の設置場所の環境等の条件によっては、上述した冷媒配管を室外機の背面方向にではなく、例えば室外機の下方向や正面方向（つまり、室外機の前方向）等に延ばす必要が生じる場合がある。しかしながら、上記特許文献１に係る室外機では、閉鎖弁に接続された冷媒配管は室外機の背面方向（つまり、室外機の後方）にしか延ばすことができず、背面方向以外の他の方向へと冷媒配管を自由に取り回すことができない。
【０００５】
特に、冷媒配管を室外機の下方向へと延ばす場合には、閉鎖弁に付着している結露水が室外機外部かつ下方向へと漏れてしまう恐れもある。そのため、室外機が天井から吊り下げられるようにして設置される場合には、結露水に対する対策も必要となる。
【０００６】
本発明の課題は、閉鎖弁に接続された冷媒配管を自由に取り回すことができ、かつ結露水が室外機外部かつ下方向に漏れるのを防ぐこととする。
【課題を解決するための手段】
【０００７】
本発明の第１観点に係る空気調和装置の室外機は、本体ケーシングと、閉鎖弁と、閉鎖弁カバーとを備える。閉鎖弁は、本体ケーシングから外方に突出した状態で設けられており、冷媒配管が下向きに接続される。閉鎖弁カバーは、閉鎖弁を本体ケーシングの外部から覆うようにして、本体ケーシングに装着される。そして、閉鎖弁カバーが装着される本体ケーシングの装着部分のうち、閉鎖弁カバーによって覆われる範囲内には、閉鎖弁に付着している結露水を本体ケーシングの内部に導入するための結露水導入孔が形成されている。閉鎖弁カバーの本体ケーシングへの装着時、閉鎖弁から下向きに延びる冷媒配管の一部分を装着部分と閉鎖弁カバーとが挟み込むことにより、結露水を結露水導入孔に案内する結露水案内部が形成される。
【０００８】
この空気調和装置の室外機によると、閉鎖弁に接続された冷媒配管は閉鎖弁から下向きに延び、かつ閉鎖弁に付着している結露水は、閉鎖弁カバーの本体ケーシングへの装着時に形成された結露水案内部によって、結露水導入孔を介して本体ケーシングの内部へと戻される。従って、結露水が室外機の外部かつ下方に漏れるのを防ぎつつ、冷媒配管を様々な方向に自由に取り回すことができる。
【０００９】
本発明の第２観点に係る空気調和装置の室外機は、第１観点に係る室外機において、突出部を更に備える。突出部は、本体ケーシングの装着部分における結露水導入孔付近において、装着部分から閉鎖弁カバー側に突出している。そして、突出部は、閉鎖弁カバーの本体ケーシングへの装着時、結露水案内部の下部に位置している。
【００１０】
この空気調和装置の室外機によると、結露水は、閉鎖弁カバーと本体ケーシングとの隙間から下方に漏れたとしても、突出部によりせき止められる。従って、結露水は、より室外機の外部かつ下方に漏れにくくなる。
【００１１】
本発明の第３観点に係る空気調和装置の室外機は、第１観点または第２観点に係る室外機において、結露水案内部の少なくとも一部となる閉鎖弁カバーの部分には、切欠が形成されている。切欠は、閉鎖弁カバーの本体ケーシングへの装着時に、冷媒配管を固定するための固定部を構成する。
【００１２】
この空気調和装置の室外機によると、閉鎖弁カバーの本体ケーシングへの装着時、冷媒配管は、結露水案内部の少なくとも一部となる閉鎖弁カバーの部分に形成された切欠に嵌め込まれ、固定されるようになる。特に、切欠が冷媒配管の外形に合致して形成されていれば、冷媒配管と切欠との隙間から結露水が漏れるのを防ぐことができる。
【００１３】
本発明の第４観点に係る空気調和装置の室外機は、第１観点から第３観点のいずれか係る室外機において、結露水案内部は、結露水を本体ケーシング内部に導くように、略水平方向に対し所定角度傾斜している。
【００１４】
この空気調和装置の室外機によると、略水平方向に対し所定角度傾斜している結露水案内部により、結露水は本体ケーシング内に導入され易くなる。
【発明の効果】
【００１５】
本発明の第１観点に係る空気調和装置の室外機によると、結露水が室外機の外部かつ下方に漏れるのを防ぎつつ、冷媒配管を様々な方向に自由に取り回すことができる。
【００１６】
本発明の第２観点に係る空気調和装置の室外機によると、結露水は、閉鎖弁カバーと本体ケーシングとの隙間から下方に漏れたとしても、突出部によりせき止められる。そのため、結露水は、より室外機の外部かつ下方に漏れにくくなる。
【００１７】
本発明の第３観点に係る空気調和装置の室外機によると、閉鎖弁カバーの本体ケーシングへの装着時、冷媒配管は、結露水案内部の少なくとも一部となる閉鎖弁カバーの部分に形成された切欠に嵌め込まれ、固定されるようになる。特に、切欠が冷媒配管の外形に合致して形成されていれば、冷媒配管と切欠との隙間から結露水が漏れるのを防ぐことができる。
【００１８】
本発明の第４観点に係る空気調和装置の室外機によると、略水平方向に対し所定角度傾斜している結露水案内部により、結露水は本体ケーシング内に導入され易くなる。
【図面の簡単な説明】
【００１９】
【図１】本実施形態に係る室外機の外観図。
【図２】本実施形態に係る室外機内部の構造を、上から見た場合の図。
【図３】室外ファンを取り除いた状態の室外機内部の構造を、正面側から見た場合の図。
【図４】図３における閉鎖弁及び閉鎖弁カバー付近の拡大図。
【図５】本実施形態に係る室外機の本体ケーシングの右側面のうち閉鎖弁が位置する部分と、この右側面に装着される閉鎖弁カバーとを表した図。
【図６】図５において、閉鎖弁カバーが装着された本体ケーシングの右側面の閉鎖弁付近を示す図。
【発明を実施するための形態】
【００２０】
以下、本発明の空気調和装置の室外機について、図面を参照して詳述する。
【００２１】
（１）室外機の構成
図１は、本発明の空気調和装置の室外機１０の外観図である。室外機１０は、屋外において天井から吊り下げられるようにして設置されており、室内の天井等に設置されている室内機（図示せず）と冷媒配管Ｌ１ａ及び冷媒配管Ｌ１ｂを介して接続されている。この空気調和装置は、室内の冷房運転や暖房運転などを行うことができる。ここで、冷媒配管Ｌ１ａは、ガス冷媒を搬送する冷媒配管であって、冷媒配管Ｌ１ｂは、液冷媒を搬送する冷媒配管である。いずれの冷媒配管Ｌ１ａ，Ｌ１ｂには、図３〜図５に示すように、防露筒Ｌ１１ａ，Ｌ１１ｂが該配管Ｌ１ａ，Ｌ１ｂを取り巻くように取り付けられている。より具体的には、冷媒配管Ｌ１ａ，Ｌ１ｂには、上述する閉鎖弁３０ａ，３０ｂとの接続部分（つまり、冷媒配管Ｌ１ａ，Ｌ１ｂの先端部）である一部分を除き、防露筒Ｌ１１ａ，Ｌ１１ｂが巻かれている。
【００２２】
尚、以下の説明においては、「上」、「下」、「右」、「左」、「水平」「鉛直」等の方向を示す表現を適宜用いているが、これらは、室外機１０が図１に示すように設置され、通常使用される状態での各方向を表す。
【００２３】
室外機１０は、図１〜６に示すように、主として、本体ケーシング１１と、ガス閉鎖弁３０ａ及び液閉鎖弁３０ｂと、閉鎖弁カバー４０と、突出部６０とを備える。
【００２４】
（１−１）本体ケーシング
本体ケーシング１１は、図１に示すように略直方体の形状を有しており、板金及び樹脂によって形成されている。本体ケーシング１１の内部は、図２及び図３に示すように、略鉛直に延びる仕切板１２によって機械室Ｓ１と送風室Ｓ２とに分割されている。機械室Ｓ１には、冷媒を圧縮する圧縮機１３やアキュムレータ１４、空気調和装置を構成する各種機器の制御基板等を含む電装品ユニット１５等が設置されている。送風室Ｓ２には、上面視において略Ｌ字形状となっている室外熱交換器１６、プロペラファンである室外ファン１７、及び室外ファン１７の駆動源である室外ファンモータ１７ａが設置されている。なお、室外ファンモータ１７ａは、図３に示すように、本体ケーシング１１内のファンモータ台１７ｂに設置されている。
【００２５】
そして、本体ケーシング１１には、図２に示すように空気の吸い込み口２０ａと吹き出し口２０ｂとが形成されている。吸い込み口２０ａは、室外熱交換器１６の形状に沿って、本体ケーシング１１の左側面１１ｂ及び背面１１ｃにかけて形成されている。吹き出し口２０ｂは、本体ケーシング１１の正面１１ａに形成されており、図１に示すように略円形の形状を有している。室外機１０の外部の空気は、回転する室外ファン１７によって吸い込み口２０ａから本体ケーシング１１における送風室Ｓ２内部へと案内され、室外熱交換器１６において熱交換がなされる。この空気は、回転する室外ファン１７によって、吹き出し口２０ｂを介して室外機１の外部へと吹き出される。
【００２６】
更に、本体ケーシング１１の右側面１１ｄには、図１〜図３に示すように、閉鎖弁カバー４０が装着される（右側面１１ｄは、装着部分に相当）。そして、閉鎖弁カバー４０によって覆われる右側面１１ｄの範囲ｒ１内には、図５に示すように、結露水導入孔２０ｃが形成されている。結露水導入孔２０ｃは、ガス閉鎖弁３０ａ及び液閉鎖弁３０ｂに付着している結露水を本体ケーシング１１の内部（具体的には、機械室Ｓ１の内部）に導入するための孔である。導入水結露孔２０ｃは、横方向に長い略長方形の形状を有しており、ガス閉鎖弁３０ａ及び液閉鎖弁３０ｂが取り付けられる位置付近に位置している。
【００２７】
（１−２）閉鎖弁
ガス閉鎖弁３０ａ及び液閉鎖弁３０ｂは、図２〜５に示すように、本体ケーシング１１の右側面１１ｄにおいて、該右側面１１ｄから本体ケーシング１１の外方に突出した状態で設けられている。そして、本実施形態に係るガス閉鎖弁３０ａ及び液閉鎖弁３０ｂは、本体ケーシング１１の右側面１１ｄのうち、結露水導入孔２０ｃの上方に位置している（特に、図５参照）。ガス閉鎖弁３０ａには、ガス冷媒用の冷媒配管Ｌ１ａが接続され、液閉鎖弁３０ｂには、液冷媒用の冷媒配管Ｌ１ｂが接続される。
【００２８】
特に、本実施形態に係るガス閉鎖弁３０ａ及び液閉鎖弁３０ｂには、各冷媒配管Ｌ１ａ，Ｌ１ｂが下向きに接続される。つまり、ガス閉鎖弁３０ａ及び液閉鎖弁３０ｂは、冷媒配管Ｌ１ａ，Ｌ１ｂとの接続口が下向きとなるように本体ケーシング１１の右側面１１ｄに配置されている。従って、各閉鎖弁３０ａ，３０ｂに接続された各冷媒配管Ｌ１ａ，Ｌ１ｂは、少なくとも閉鎖弁３０ａ，３０ｂから所定長さまでは、下方向に延びる状態となっている（図３〜６）。
【００２９】
（１−３）閉鎖弁カバー
閉鎖弁カバー４０は、ガス閉鎖弁３０ａ及び液閉鎖弁３０ｂ、導入水結露孔２０ｃ、及び各冷媒配管Ｌ１ａ，Ｌ１ｂの一部分を本体ケーシング１１の外部から覆うようにして、本体ケーシング１１の右側面１１ｄに装着される。この閉鎖弁カバー４０は、例えば不燃性樹脂等によって形成されている。そして、図５，６等にて示すように、閉鎖弁カバー４０の覆う対象である各閉鎖弁３０ａ，３０ｂが本体ケーシング１１の右側面１１ｄから該ケーシング１１の外方へと突出しているため、閉鎖弁カバー４０は、本体ケーシング１１に装着された際に右側面１１ｄ側から該ケーシング１１の外方に向かって凸形の形状となっている。
【００３０】
特に、図４及び図５に示すように、閉鎖弁カバー４０の下部には、板状部４１が設けられている。この板状部４１は、閉鎖弁カバー４０が本体ケーシング１１に装着された際、その先端部が結露水導入孔２０ｃの下辺に届く程度に、閉鎖弁カバー４０側から本体ケーシング１１の右側面１１ｄ側へと突出している。この板状部４１は、閉鎖弁カバー４０の本体ケーシング１１への装着時、各閉鎖弁３０ａ，３０ｂから下向きに延びる各冷媒配管Ｌ１ａ，Ｌ１ｂの一部分を本体ケーシング１１の右側面１１ｄとで挟み込むことで、各閉鎖弁３０ａ，３０ｂからの結露水を結露水導入孔２０ｃに導入する結露水案内部５０となる（図４及び図６参照）。即ち、閉鎖弁カバー４０が本体ケーシング１１に装着されることによって、板状部４１は結露水案内部５０となる。そして、結露水案内部５０、即ち板状部４１は、結露水を本体ケーシング１１の内部に導くように、略水平方向に対し所定角度傾斜している。具体的には、結露水案内部５０は、図４に示すように、本体ケーシング１１の外方から結露水導入孔２０ｃ側に延びるに連れて、徐々に低くなるように傾斜している。
【００３１】
このような閉鎖弁カバー４０の構成により、閉鎖弁カバー４０が本体ケーシング１１に装着された際、閉鎖弁カバー４０の板状部４１の先端部は結露水導入孔２０ｃに届き、図６に示すように結露水導入孔２０ｃの上方に位置している各閉鎖弁３０ａ，３０ｂから落下してくる結露水は、閉鎖弁カバー４０の板状部４１である結露水案内部５０によって受け止められる。その後、この結露水は、結露水導入孔２０ｃを介して本体ケーシング１１の機械室Ｓ１内部へと流れていく。
【００３２】
更に、結露水案内部５０となる閉鎖弁カバー４０の板状部４１には、図５に示すように、２つの切欠４１ａ，４１ｂが形成されている。切欠４１ａ，４１ｂは、板状部４１のうち、閉鎖弁カバー４０が本体ケーシング１１に装着された際に各冷媒配管Ｌ１ａ，Ｌ１ｂに対応する箇所に形成されている。そして、切欠４１ａ，４１ｂは、防露筒Ｌ１１ａ，Ｌ１１ｂが巻かれた各冷媒配管Ｌ１ａ，Ｌ１ｂの部分の外径よりも若干小さめの大きさに形成されている。これらの切欠４１ａ，４１ｂには、閉鎖弁カバー４０が本体ケーシング１１に装着された時、図６に示すように、対応する冷媒配管Ｌ１ａ，Ｌ１ｂそれぞれが防露筒Ｌ１１ａ，Ｌ１１ｂごと嵌め込まれることとなる。つまり、切欠４１ａ，４１ｂは、防露筒Ｌ１１ａ，Ｌ１１ｂに若干食い込んだ状態で、冷媒配管Ｌ１ａ，Ｌ１ｂそれぞれを固定する。従って、本実施形態に係る切欠４１ａ，４１ｂは、閉鎖弁カバー４０の本体ケーシング１１への装着時に冷媒配管Ｌ１ａ，Ｌ１ｂを固定するための固定部としての役割を担う。
【００３３】
（１−４）突出部
突出部６０は、図４及び図５に示すように、本体ケーシング１１の右側面１１ｄにおける結露水導入孔２０ｃ付近において、当該右側面１１ｄから閉鎖弁カバー４０側（つまり、本体ケーシング１１の外方）に突出した、板状の部材である。突出部６０は、本体ケーシング１１と同様、板金や樹脂で形成されており、閉鎖弁カバー４０が本体ケーシング１１の右側面１１ｄに装着された際、結露水案内部５０の下部に位置している。特に、本実施形態に係る突出部６０は、図４に示すように、結露水案内部５０と同様に略水平方向に対し所定角度傾斜しており、閉鎖弁カバー４０が本体ケーシング１１の右側面１１ｄに装着された際には、結露水案内部５０の下部において結露水案内部５０に接触するようにして位置することとなる。つまり、突出部６０は、結露水案内部５０となる閉鎖弁カバー４０の板状部４１の下部において、結露水導入孔２０ｃ側から閉鎖弁カバー４０側（つまり、本体ケーシング１１の外方側）へと突出するに連れて徐々に高くなるように傾斜しており、その傾斜角度は、板状部４１とほぼ同じである。
【００３４】
この突出部６０により、結露水は、仮に閉鎖弁カバー４０と本体ケーシング１１との隙間から下方に漏れたとしても、突出部６０によりせき止められる。せき止められた結露水は、結露水導入孔２０ｃ側へと流れていき、やがて結露水導入孔２０ｃを介して本体ケーシング１１の機械室Ｓ１内部に流れていく。
【００３５】
（２）室外機の設置方法
上述した構成を有する室外機１０の設置方法について、説明する。
【００３６】
先ず、圧縮機１３や室外ファン１７等が内部に設置され、かつガス及び液閉鎖弁３０ａ，３０ｂが設けられた状態の本体ケーシング１１が、室外機１０の設置位置に置かれ、固定される。次いで、本体ケーシング１１の右側面１１ｄにおける結露水導入孔２０ｃの下辺付近に突出部６０が取り付けられ、ネジ等によって固定される。そして、突出している各閉鎖弁３０ａ，３０ｂの接続口に、対応する冷媒配管Ｌ１ａ、Ｌ１ｂが下向きに接続される。従って、この状態の室外機１０は、閉鎖弁カバー４０が取り付けられていない状態であるが、各閉鎖弁３０ａ，３０ｂから冷媒配管Ｌ１ａ，Ｌ１ｂそれぞれが下向きに延びた状態となっている。
【００３７】
次いで、上記状態の本体ケーシング１１に対し、閉鎖弁カバー４０を本体ケーシング１１の外方から取り付ける作業が行われる。具体的に、本体ケーシング１１の右側面１１ｄのうち、各閉鎖弁３０ａ，３０ｂ及び結露水導入孔２０ｃを覆う位置に閉鎖弁カバー４０が取り付けられる。この取り付け作業の際、閉鎖弁カバー４０における板状部４１が突出部６０の上に位置するようにして閉鎖弁カバー４０が配置されると共に、閉鎖弁カバー４０の切欠４１ａ，４１ｂに各冷媒配管Ｌ１ａ，Ｌ１ｂが防露筒Ｌ１１ａ，Ｌ１１ｂごと嵌め込まれる。これにより、閉鎖弁カバー４０の板状部４１と本体ケーシング１１の右側面１１ｄとで各冷媒配管Ｌ１ａ，Ｌ１ｂが挟み込まれる状態となり、結露水導入孔２０ｃの下辺付近において結露水案内部５０が形成される。そして、閉鎖弁カバー４０は、本体ケーシング１１の右側面１１ｄにネジ止めによって固定される。従って、この状態の室外機１０は、本体ケーシング１１に閉鎖弁カバー４０が取り付けられたことにより、各閉鎖弁３０ａ，３０ｂ，結露水導入孔２０ｃ及び冷媒配管Ｌ１ａ，Ｌ１ｂの一部分が閉鎖弁カバー４０によって覆われた状態となる。一方、閉鎖弁カバー４０によって覆われていない各冷媒配管Ｌ１ａ，Ｌ１ｂの大部分は、室外機１０の外部に露出しており、依然として下向きに延びた状態となっている。なお、閉鎖弁カバー４０内部においては、上から順番にガス及び液閉鎖弁３０ａ，３０ｂ、結露水導入孔２０ｃ、結露水案内部５０、突出部６０が位置していることとなる。
【００３８】
次いで、露出している各冷媒配管Ｌ１ａ，Ｌ１ｂを、例えば本体ケーシング１１の正面１１ａ側や背面１１ｃ側等、所望する方向に曲げる作業が行われることで、各冷媒配管Ｌ１ａ，Ｌ１ｂは、曲げられた方向に延びることとなる。なお、図５，６では、一例として、各冷媒配管Ｌ１ａ，Ｌ１ｂが本体ケーシング１１の背面１１ｃ側に曲げられた場合を示している。
【００３９】
（３）特徴
（３−１）
本実施形態に係る室外機１０では、閉鎖弁カバー４０が装着される本体ケーシング１１の装着部分である右側面１１ｄのうち、閉鎖弁カバー４０によって覆われる範囲内ｒ１には、各閉鎖弁３０ａ，３０ｂに付着している結露水を本体ケーシング１１の内部に導入するための結露水導入孔２０ｃが形成されている。閉鎖弁カバー４０の本体ケーシング１１への装着時、ガス閉鎖弁３０ａ及び液閉鎖弁３０ｂから下向きに延びる冷媒配管Ｌ１ａ，Ｌ１ｂの一部分を、本体ケーシング１１の右側面１１ｄと閉鎖弁カバー４０とが挟み込むことにより、結露水を結露水導入孔２０ｃに案内する結露水案内部５０が形成される。これにより、ガス閉鎖弁３０ａ及び液閉鎖弁３０ｂに接続された各冷媒配管Ｌ１ａ，Ｌ１ｂは、閉鎖弁３０ａ，３０ｂから下向きに延びつつ、かつ閉鎖弁３０ａ，３０ｂに付着している結露水は、閉鎖弁カバー４０の本体ケーシング１１への装着時に形成された結露水案内部５０によって、結露水導入孔２０ｃを介して本体ケーシング１１の内部へと戻される。従って、結露水が室外機１０の外部かつ下方に漏れるのを防ぎつつ、各冷媒配管Ｌ１ａ，Ｌ１ｂを様々な方向に自由に取り回すことができる。
【００４０】
（３−２）
また、本実施形態に係る室外機１０には、本体ケーシング１１の右側面１１ｄにおける結露水導入孔２０ｃ付近において、右側面１１ｄから閉鎖弁カバー４０側に突出している突出部６０を更に備えている。この突出部６０は、閉鎖弁カバー４０の本体ケーシング１１への装着時、結露水案内部５０の下部に位置している。これにより、結露水は、閉鎖弁カバー４０と本体ケーシング１１との隙間から下方に漏れたとしても、突出部６０によりせき止められる。従って、結露水は、より室外機１０の外部かつ下方に漏れにくくなる。
【００４１】
（３−３）
また、本実施形態に係る室外機１０の閉鎖弁カバー４０のうち、結露水案内部５０の少なくとも一部となる閉鎖弁カバー４０の部分には、切欠４１ａ，４１ｂが形成されている。切欠４１ａ，４１ｂは、閉鎖弁カバー４０の本体ケーシング１１への装着時に、各冷媒配管Ｌ１ａ，Ｌ１ｂを固定するための固定部を構成する。これにより、閉鎖弁カバー４０の本体ケーシング１１への装着時、各冷媒配管Ｌ１ａ，Ｌ１ｂはそれぞれ切欠４１ａ，４１ｂに嵌め込まれ、固定されるようになる。特に、切欠４１ａ，４１ｂが冷媒配管Ｌ１ａ，Ｌ１ｂの外形に合致して形成されていれば、冷媒配管Ｌ１ａ，Ｌ１ｂと切欠４１ａ，４１ｂとの隙間から結露水が漏れるのを防ぐことができる。
【００４２】
（３−４）
また、本実施形態に係る室外機１０の結露水案内部５０は、結露水を本体ケーシング１１内部に導くように、略水平方向に対し所定角度傾斜している。これにより、結露水は本体ケーシング１１内に導入され易くなる。
【００４３】
（４）変形例
（４−１）変形例Ａ
上記実施形態では、閉鎖弁カバー４０の板状部４１に切欠４１ａ，４１ｂが形成されている場合について説明した。しかし、板状部４１には、切欠４１ａ，４１ｂに代えて、孔が形成されていてもよい。この場合、孔は、防露筒Ｌ１１ａ，Ｌ１１ｂの巻かれた各冷媒配管Ｌ１ａ，Ｌ１ｂの外形に沿って形成されている。
【００４４】
（４−２）変形例Ｂ
上記実施形態では、ガス閉鎖弁３０ａ及び液閉鎖弁３０ｂが本体ケーシング１１の右側面１１ｄから外方に突出した状態で設けられている場合について説明した。しかし、ガス閉鎖弁３０ａ及び液閉鎖弁３０ｂが設けられる位置は、右側面１１ｄに限定されず、本体ケーシング１１の左側面１１ｂや正面１１ａ、背面１１ｃ、本体ケーシング１１の上面であってもよい。
【００４５】
（４−３）変形例Ｃ
上記実施形態では、閉鎖弁カバー４０が、ガス閉鎖弁３０ａ及び液閉鎖弁３０ｂ、結露水導入孔２０ｃ、及び冷媒配管Ｌ１ａ，Ｌ１ｂの一部を覆うようにして本体ケーシング１１に装着された場合について説明した。しかし、閉鎖弁カバー４０は、更に電装品ユニットから延びる配線が繋がれた端子台（図示せず）も覆うようにして本体ケーシング１１に装着されてもよい。
【００４６】
（４−４）変形例Ｄ
上記実施形態では、閉鎖弁カバー４０の板状部４１のみで結露水案内部５０が形成される場合について説明した。しかし、本発明に係る結露水案内部は、閉鎖弁カバー４０の本体ケーシング１１への装着時、防露筒Ｌ１１ａ，Ｌ１１ｂが巻かれ下向きに延びる各冷媒配管Ｌ１ａ，Ｌ１ｂの一部分を本体ケーシング１１と閉鎖弁カバー４０とで挟み込むことによって形成されればよいのであって、上記構成に限定されずともよい。従って、結露水案内部は、例えば閉鎖弁カバーの板状部４１と突出部６０とが突き合わせられることによって構成されてもよい。
【００４７】
（４−５）変形例Ｅ
上記実施形態では、突出部６０の傾斜角度が、結露水案内部５０となる閉鎖弁カバー４０の板状部４１の傾斜角度とほぼ同じである場合について説明した。しかし、突出部６０の傾斜角度は、結露水案内部５０の傾斜角度と異なっていても良い。また、突出部６０は、傾斜しておらず略水平であってもよい。
【００４８】
（４−６）変形例Ｆ
上記実施形態では、図５に示すように、結露水導入孔２０ｃが各閉鎖弁３０ａ，３０ｂの下方に位置している場合について説明した。しかし、本発明では、各閉鎖弁３０ａ，３０ｂ付近において発生する結露水が結露水案内部５０により結露水導入孔２０ｃを介して本体ケーシング１１の内部に案内されればよいため、結露水導入孔２０ｃの位置は、例えば閉鎖弁３０ａ，３０ｂの横であってもよい。
【００４９】
（４−７）変形例Ｇ
上記実施形態では、突出部６０が本体ケーシング１１とは別部材で構成されている場合について説明した。しかし、突出部６０は、本体ケーシング１１の右側面１１ｄの一部分が切欠きかつ折り曲げられることで、本体ケーシング１１と一体成形されていてもよい。
【００５０】
（４−８）変形例Ｈ
上記実施形態では、結露水導入孔２０ｃが略長方形の形状を有している場合について説明した。しかし、結露水導入孔２０ｃの形状は、略長方形に限定されず、どのような形状であってもよい。
【産業上の利用可能性】
【００５１】
本発明に係る空気調和装置の室外機は、結露水が室外機の外部かつ下方に漏れるのを防ぎつつ、冷媒配管を様々な方向に自由に取り回すことができる。そのため、本発明に係る空気調和装置の室外機は、地面に置いた状態で設置されるタイプの室外機のみならず、例えば天井から吊り下げられる状態で設置される室外機においても適用できる。
【符号の説明】
【００５２】
１０  室外機
１１  本体ケーシング
１１ａ  正面
１１ｂ  左側面
１１ｃ  背面
１１ｄ  右側面
２０ａ  吸い込み口
２０ｂ  吹き出し口
２０ｃ  結露水導入孔
３０ａ  ガス閉鎖弁
３０ｂ  液閉鎖弁
４０  閉鎖弁カバー
４１ａ，４１ｂ  切欠
５０  結露水案内部
６０  突出部
Ｌ１ａ  ガス冷媒用の冷媒配管
Ｌ１ｂ  液冷媒用の冷媒配管
Ｌ１１ａ，Ｌ１１ｂ  防露筒
【先行技術文献】
【特許文献】
【００５３】
【特許文献１】特開平６−２０１１６０号公報
【図１】
0005527198.tif 000002
【図２】
0005527198.tif 000003
【図３】
0005527198.tif 000004
【図４】
0005527198.tif 000005
【図５】
0005527198.tif 000006
【図６】
0005527198.tif 000007